(57)【特許請求の範囲】
【請求項１】
容器本体の口首部に注出スパウトを備えたキャップが装着された被詰替え容器に内容物を詰め替えるための、詰替え容器の詰替え流出口を覆って取り付けられる詰替え容器用栓部材であって、
栓本体部と、前記注出スパウトによって前記栓本体部から容器の内側に押し出される押出し蓋部とからなり、
前記栓本体部は、基盤部から上方に立設して前記注出スパウトの先端部分の導入開始部となる円形又は略円形の中空断面形状を有する環状導入壁を備えており、該環状導入壁の内側領域には、前記注出スパウトの立設方向中間部分における外周断面形状に沿った形状の略Ｕ字形状部分を含む、当該略Ｕ字形状部分の開放側端部を直線状に仕切った開口縁部を有する装着開口が形成されており、
且つ前記開口縁部の略Ｕ字形状部分の開放側と対向する位置における前記環状導入壁の内側面から内側に突出して、前記環状導入壁に導入された前記注出スパウトの先端部分の傾斜辺部を当接させることで、前記注出スパウトの先端部分を外周面が前記開口縁部の略Ｕ字形状部分に沿う向きに誘導する位置合せバーが設けられており、
前記押出し蓋部は、前記装着開口を前記環状導入壁とは反対側である下方を覆って前記栓本体部に着脱可能に取り付けられている詰替え容器用栓部材。
【請求項２】
前記位置合せバーは、中央部を稜線として両側に傾斜する傾斜面を備えている請求項１記載の詰替え容器用栓部材。
【請求項３】
前記位置合せバーは、前記環状導入壁の内側面からこれの内径の１／３〜９／１０の位置まで突出して設けられている請求項１又は２記載の詰替え容器用栓部材。
【請求項４】
前記環状導入壁の内側面には、当該内側面から前記装着開口に向けて下方に傾斜する傾斜誘導壁面部が形成されている請求項１〜３のいずれか１項記載の詰替え容器用栓部材。
【発明の詳細な説明】
【技術分野】
【０００１】
本発明は、詰替え容器用栓部材に関し、特に、注出スパウトを備える注出キャップが装着された被詰替え容器に内容物を詰め替えるための詰替え容器用栓部材に関する。
【背景技術】
【０００２】
近年、各種の液体や、その他の内容物を収納する合成樹脂製の容器についても、環境負荷の低減が図られるようになっており、使用する樹脂量を減らした薄肉の容器が種々開発されている。また、各種の洗剤や食品等を収納する容器として、パウチ等による詰替え容器が多く用いられている。詰替え容器は、収納した内容物を、注出スパウト等による注出部を備える被詰替え容器に詰め替えたり補充したりすることで、高価な被詰替え容器をその都度廃棄することなく、長期間使用できるようにする。
【０００３】
一方、パウチ等による詰替え容器は、柔軟性や可撓性に富んだ軟包材によって形成されており、詰め替え作業の際に容器が変形し易く、またきわめて不安定な状態となり易い。このようなことから、例えば注出スパウトを備える注出キャップが口首部に装着された被詰替え容器に内容物を詰め替えるための詰替え容器に取り付けられる栓部材として、詰め替え時に詰替え容器の詰替え流出口を被詰替え容器の注出スパウトに安定した状態で位置決めできるようにした、詰替え容器用の口栓（栓部材）が種々開発されている（例えば、特許文献１、特許文献２）。
【０００４】
特許文献１や特許文献２の詰替え容器用の栓部材では、被詰替え容器の注出用ノズル（注出スパウト）を挿入可能な筒状のスパウト部（周壁部）を備えており、この筒状の周壁部の内側底部に設けられたシール板に形成された開封用スコアを、挿入された被詰替え容器の注出用ノズルの押し込みによって破断させることで、詰替え容器と被詰替え容器とを連通する連通開口を形成させるようになっている。
【０００５】
また、特許文献１の詰替え容器用の栓部材では、筒状の周壁部は、被詰替え容器の注出スパウトの略Ｕ字形状の断面形状に沿った断面形状部分を備えていることで、使用者は、筒状の周壁部の向きを被詰替え容器の注出スパウトの向きに合わせてから、周壁部に注出スパウトを挿入するようになっている。特許文献２の詰替え容器用の栓部材では、筒状の周壁部は円筒形状を有していて、使用者は、円筒形状の周壁部の向きに特に配慮することなく、周壁部に被詰替え容器の注出スパウトを挿入することができるが、注出スパウトの向きが開封用スコアの向きと合っていなくても、開封用スコアを破断させた後に注出スパウトをさらに押し込んで行くのに伴って、周壁部の内側に突出して設けられた、複数のノズル位置決めリブやスリット部位置決めリブの作用によって、注出スパウトを、開封用スコアの破断によってシール板に形成された連通開口の向きと合うように誘導することが可能である。
【先行技術文献】
【特許文献】
【０００６】
【特許文献１】特開２０１０−２３５１５２
【特許文献２】特開２０１０−２４７８９６
【発明の概要】
【発明が解決しようとする課題】
【０００７】
しかしながら、特許文献１や特許文献２の詰替え容器用の栓部材では、いずれも周壁部の内側底部に設けられたシール板に形成された開封用スコアを、被詰替え容器の注出スパウトの押し込みによって破断させることで、連通開口を開口させるようになっているので、開封用スコアを破断させるためには相当の大きさの押込み力が必要になって、栓部材の開封時における操作性が劣ることになる。
【０００８】
また、特許文献１の詰替え容器用の栓部材では、筒状の周壁部の向きを被詰替え容器の注出スパウトの向きに合わせる操作に煩わしさを感じる場合がある。特許文献２の詰替え容器用の栓部材では、円筒形状の周壁部の向きに特に配慮することなく、周壁部に被詰替え容器の注出スパウトを挿入することが可能であるが、注出スパウトの押し込みによって開封用スコアを破断させる直前の、セット段階において、注出スパウトの向きが開封用スコアの向きと大きく異なっていると、スムーズな開封操作や注出スパウトの押し込み操作を行うことが困難になる。
【０００９】
本発明は、注出スパウトの押し込みによって開封する際の押込み力を軽減すると共に、注出スパウトの押し込みによって開封させる直前のセット段階において、注出スパウトを所定の方向に容易に且つスムーズに位置決めさせて、開封時の操作性を効果的に向上させることのできる詰替え容器用栓部材を提供することを目的とする。
【課題を解決するための手段】
【００１０】
本発明は、容器本体の口首部に注出スパウトを備えたキャップが装着された被詰替え容器に内容物を詰め替えるための、詰替え容器の詰替え流出口を覆って取り付けられる詰替え容器用栓部材であって、栓本体部と、前記注出スパウトによって前記栓本体部から容器の内側に押し出される押出し蓋部とからなり、前記栓本体部は、基盤部から上方に立設して前記注出スパウトの先端部分の導入開始部となる円形又は略円形の中空断面形状を有する環状導入壁を備えており、該環状導入壁の内側領域には、前記注出スパウトの外周断面形状に沿った略Ｕ字形状の開口縁部を有する装着開口が形成されており、且つ前記開口縁部の略Ｕ字形状部分の開放側と対向する位置における前記環状導入壁の内側面から内側に突出して、前記環状導入壁に導入された前記注出スパウトの先端部分の傾斜辺部を当接させることで、前記注出スパウトの先端部分を外周面が前記開口縁部の略Ｕ字形状部分に沿う向きに誘導する位置合せバーが設けられており、前記押出し蓋部は、前記装着開口を前記環状導入壁とは反対側である下方を覆って前記栓本体部に着脱可能に取り付けられている詰替え容器用栓部材を提供することにより、上記目的を達成したものである。
【発明の効果】
【００１１】
本発明の詰替え容器用栓部材によれば、注出スパウトの押し込みによって開封する際の押込み力を軽減すると共に、注出スパウトの押し込みによって開封させる直前のセット段階において、注出スパウトを所定の方向に容易に且つスムーズに位置決めさせて、開封時の操作性を効果的に向上させることができる。
【図面の簡単な説明】
【００１２】
【図１】本発明の好ましい一実施形態に係る詰替え容器用栓部材を取り付けた詰替え容器によって、被詰替え容器に内容物を詰め替える状況を説明する略示斜視図である。
【図２】本発明の好ましい一実施形態に係る詰替え容器用栓部材の構成を説明する斜視図である。
【図３】本発明の好ましい一実施形態に係る詰替え容器用栓部材の構成を説明する、（ａ）は図２のＡ−Ａに沿った断面図、（ｂ）は図２のＢ−Ｂに沿った断面斜視図である。
【図４】栓本体部の（ａ）は上面図、（ｂ）は斜め下方から見た底面斜視図である。
【図５】押出し蓋部の斜視図である。
【図６】詰替え容器の構成を説明する斜視図である。
【図７】詰替え容器に取り付けられる注出スパウトを備える注出キャップの構成を説明する斜視図である。
【図８】（ａ）〜（ｄ）は、開封時の操作状況を説明する破断斜視図である。
【図９】詰替え容器用栓部材を取り付けたスタンディングパウチを例示する斜視図である。
【発明を実施するための形態】
【００１３】
本発明の好ましい一実施形態に係る詰替え容器用栓部材１０は、図１に示すように、詰替え容器１１として例えば薄肉のボトル形状の容器の口首部１２に、これの先端の詰替え流出口１３（図６参照）を覆って取り付けられる。ここで、詰替え容器１１は、図６にも示すように、自立載置部を備える底部１４と、内容物を注出させる口首部１２と、底部１４と口首部１２との間の肉厚が例えば５０〜１５０μｍ程度の胴部１５とを含んで形成されている。詰替え容器１１は、好ましくは、口首部１２を下方に配置した倒立状態で、内部に充填収容した内容物である例えば液体洗剤を、詰替え流出口１３を介した空気置換によることなく、胴部１５自体を収縮変形させながらある程度まで注出させることが可能な可撓性を胴部１５が備えるように構成されている。
【００１４】
また、本実施形態では、詰替え容器１１は、図１に示すように、容器本体１７の口首部に注出スパウト１８を備える注出キャップ１９が装着された、例えば液体洗剤用の被詰替え容器１６に液体洗剤を詰め替えたり補充したりするための、液体洗剤を内容物とする詰替え容器となっている。本実施形態の詰替え容器用栓部材１０は、詰替え容器１１に収容された液体洗剤を、注出キャップ１９の注出スパウト１８の内側の注出路を介して、被詰替え容器１６の内部に効率良く流入させてゆく機能を備えると共に、注出スパウト１８の押し込みによって詰替え容器１１と被詰替え容器１６とを連通させる操作を、スムーズに且つ安定した状態で行えるようにする機能を備える。
【００１５】
ここで、注出スパウト１８を備える注出キャップ１９は、図１及び図７に示すように、被詰替え容器１６の容器本体１７の口首部の外周部分を覆って取り付けられる装着スカート部２０と、容器本体１７の口首部の内周面に沿って配置される内筒壁２１と、内筒壁２１の下端部に連設する底面壁２２とを含んで構成される、好ましくは計量キャップと組み合わせて用いる公知のものである。注出スパウト１８は、液体洗剤を注出させる際の傾倒方向Ｘ（図１参照）とは反対側を開放部２３としたＵ字又は略Ｕ字の断面形状を有すると共に、注出キャップ１９の内筒壁２１と離間して底面壁２２から立設した状態で設けられている。
【００１６】
そして、本実施形態の詰替え容器用栓部材１０は、図１に示すように、容器本体１７の口首部に注出スパウト１８を備えた注出キャップ１９が装着された被詰替え容器１６に内容物である液体洗剤を詰め替えるための、詰替え容器１１の詰替え流出口１３（図６参照）を覆って取り付けられる栓部材であって、図２及び図３（ａ）、（ｂ）に示すように、栓本体部２４と、注出スパウト１８によって栓本体部２４から容器１１の内側に押し出される押出し蓋部２５とからなる。栓本体部２４は、図４（ａ）、（ｂ）にも示すように、基盤部２６から上方に立設して、注出スパウト１８の先端部分１８ａの導入開始部となる円形又は略円形の中空断面形状を備える環状導入壁２７を備えている。この環状導入壁２７の内側領域には、注出スパウト１８の外周断面形状に沿った略Ｕ字形状の開口縁部２８を有する装着開口２９が形成されている。この開口縁部２８の略Ｕ字形状部分２８ａの開放側と対向する位置における環状導入壁２７の内側面から内側に突出して、環状導入壁２７に導入された注出スパウト１８の先端部分１８ａの傾斜辺部１８ｂを当接させて、注出スパウト１８の先端部分１８ａを外周面が開口縁部２８の略Ｕ字形状部分２８ａに沿う向きに誘導する位置合せバー３０が設けられている。押出し蓋部２５は、環状導入壁２７の内側領域に形成された装着開口２９を環状導入壁２７とは反対側である下方を覆って、栓本体部２４に着脱可能に取り付けられている。
【００１７】
本実施形態では、詰替え容器１１は、例えば、ポリプロピレン、ポリエチレン、ポリエチレンテレフタレート等の合成樹脂を用いた延伸ブロー成形によって形成されたものである。詰替え容器１１は、図６に示すように、自立載置部を備える底部１４と、液体洗剤を注出させる詰替え流出口１３を備える口首部１２と、底部１４と口首部１２との間の肉厚が５０〜１５０μｍ程度の胴部１５とを含んで構成される。また、詰替え容器１１は、胴部１５の上方に連続して詰替え容器１１の上端部分を構成する肩部３１を備えている。肩部３１の上端中央部分から上方に突出して、円筒形状の口首部１２が一体として設けられている。
【００１８】
詰替え容器１１の口首部１２は、厚肉に形成されることで、手の力では変形させることが困難な程度の保形剛性を備えており、上端が詰替え流出口１３として開口している。口首部１２には、詰替え流出口１３を覆うようにして、本実施形態の詰替え容器用栓部材１０が嵌合装着される。また、口首部１２には、栓部材１０のキャッピング時の操作性等を考慮して、ノズル掛かり部１２ａが設けられている。
【００１９】
本実施形態では、詰替え容器用栓部材１０は、例えばポリプロピレン、ポリエチレン等の合成樹脂を用いた金型成形品であって、図２〜図５に示すように、栓本体部２４と、栓本体部２４に着脱可能に取り付けられる押出し蓋部２５とからなる。栓本体部２４は、円環帯板形状の基盤部２６と、基盤部２６と同心状に配置されると共に、基盤部２６の内周縁部から上方に立設して一体として設けられた、円形又は略円形の中空断面形状を備える環状導入壁２７とを含んで構成される。また、基盤部２６の外周縁部から下方に延設して、扁平な円筒形状の環状スカート部３２が一体として設けられている。環状スカート部３２の内周面には、例えば係止リブ３２ａが設けられている。係止リブ３２ａを、詰替え容器１１の口首部１２の外周面に設けられた例えば係止段差部１２ｂ（図６参照）に係着することにより、容易には取り外すことができない状態で、詰替え容器１１の口首部１２に詰替え容器用栓部材１０が嵌合装着される（図１、図６参照）。
【００２０】
本実施形態では、環状導入壁２７の内側領域には、注出キャップ１９の注出スパウト１８を装着させる装着開口２９が開口形成されている。装着開口２９は、注出スパウト１８の先端部分１８ａによって押出し蓋部２５が押し出された後は、詰替え容器１１と被詰替え容器１６とを連通する連通開口となる。装着開口２９は、例えば注出スパウト１８の立設方向中間部分における外周断面形状に沿った形状の略Ｕ字形状部分２８ａを含む、当該略Ｕ字形状部分２８ａの開放側端部を直線状の短径部分２８ｂで仕切った、略半長円形状の開口縁部２８を有している（図４（ａ）参照）。
【００２１】
また、環状導入壁２７の内側面から内側に突出して、位置合せバー３０が設けられている。位置合せバー３０は、装着開口２９の開口縁部２８の略Ｕ字形状部分２８ａの開放側と対向する位置において、環状導入壁２７から径方向内側に突出して設けられている。本実施形態では、環状導入壁２７の上端部内側から、装着開口２９の開口縁部２８の短径部分２８ｂに向けて斜め下方に急勾配で延設して、開放側傾斜壁面部３３が設けられている。位置合せバー３０は、この開放側傾斜壁面部３３に基端部を一体として接合することで、当該開放側傾斜壁面部３３から張り出すようにして設けられている（図２、図３（ａ）、（ｂ）参照）。位置合せバー３０は、その上面部を環状導入壁２７の立設方向中間部分よりも上端開口側に配置すると共に、環状導入壁２７の内側面からこれの内径の１／３〜９／１０の位置まで突出して設けられている。
【００２２】
位置合わせバー３０が、その上面部を環状導入壁２７の立設方向中間部分よりも上端開口側に配置して設けられていることにより、注出スパウト１８の押し込みによって開封させる直前のセット段階において、注出スパウト１８の先端部分１８ａの傾斜辺部１８ｂに詰め替え容器１１の位置合わせバー３０が当たった後に、傾斜辺部１８ｂの傾斜を滑るようにして移動して、栓部材１０が注出スパウト１８にセットされる際に、所定の位置まで移動するのに、高さ方向の落差が大きくなるため、作業を行う消費者が感じる、詰め替え容器１１のセット感を向上させることが可能になる。また、位置合わせバー３０が押出し蓋部２５から離れて配置されることになるので、押出し蓋部２５を指などで突き押すことによる誤開封を、効果的に防止することが可能になる。さらに、位置合わせバー３０が、環状導入壁２７の内側面からこれの内径の１／３〜９／１０の位置まで突出して設けられていることにより、注出スパウト１８が装着開口２９の向きと合っていない方向から環状導入壁２７に導入された場合でも、注出スパウト１８の先端部分１８ａの傾斜辺部１８ｂが位置合わせバー３０に押し当りやすくなって、注出スパウト１８の外周面の略Ｕ字形状部分が装着開口２９の内周面の略Ｕ字形状部分と略密着する所定の位置まで、効果的に栓部材１０を誘導することが可能になる。またこれによって、詰め替え時の内容物の流量を制御しやすくなって、例えば詰め替え容器１１を押圧した際の液溢れを効果的に防止することが可能となる。
【００２３】
本実施形態では、位置合せバー３０は、その上面部に、中央部を稜線３０ａとして両側に傾斜する傾斜面３０ｂを備えている。位置合せバー３０が、中央部を稜線３０ａとして両側に傾斜する傾斜面３０ｂを備えていることにより、注出スパウト１８の先端部分１８ａの傾斜辺部１８ｂが位置合わせバー３０の稜線３０ａに当たることで、位置合わせバー３０の稜線３０ａを挟んだ両側の傾斜面３０ｂのうちの何れか一方の側に、注出スパウト１８の先端部分１８ａが滑りやすくなる。これによって、より効果的に且つスムーズに、開封させる直前の所定のセット位置まで、栓部材１０を誘導することが可能になる。傾斜面３０ｂは、環状導入壁２７の上端開口面に対して１５°〜６０°の傾斜角度で傾斜していることが好ましい。
【００２４】
なお、本実施形態では、位置合せバー３０は、その上面部が、突出方向において環状導入壁２７の上端開口面と平行に延設するように設けられているが（図３（ａ）参照）、位置合せバー３０は、その上面部を、例えば突出方向先端側に向けて下方に傾斜させた状態で設けることもできる。
【００２５】
また、本実施形態では、環状導入壁２７の内側面には、当該内側面から装着開口２９に向けて下方に傾斜する傾斜誘導壁面部３４が設けられている。傾斜誘導壁面部３４は、図４（ａ）に示すように、装着開口２９の開口縁部２８の略Ｕ字形状部分２８ａに沿った部分において、上面から見て当該略Ｕ字形状部分２８ａと環状導入壁２７の内側面との間に介在して、略Ｕ字形状部分２８ａの先端部に向けてその幅を減少させるように設けられている。また傾斜誘導壁面部３４は、図２及び図３（ａ）、（ｂ）に示すように、環状導入壁２７の内側面から径方向内側の装着開口２９に向けて緩い勾配で下方に傾斜すると共に、略Ｕ字形状部分２８ａの短径部分２８ｂ側から先端部に向けて、緩い勾配で下方に傾斜するように設けられている。傾斜誘導壁面部３４は、位置合せバー３０と略同様の高さ位置に設けられると共に、その内側縁部３４ａが、基盤部２５に対して垂直に切り立った垂直壁面部３５を介して、装着開口２９の開口縁部２８の略Ｕ字形状部分２８ａと接続している。
【００２６】
さらに、本実施形態では、栓本体部２４には、図３（ａ）、（ｂ）に示すように、装着開口２９を下方から覆って取り付けられる押出し蓋部２５を着脱可能に装着させる、扁平な円筒形状の環状装着壁部３６が一体として設けられている。環状装着壁部３６は、環状導入壁２７の直下部分から装着開口２９よりも下方に延設すると共に、基盤部２５の外周縁部から下方に延設して設けられた環状スカート部３２の内側に同心状に配置されて設けられる。この環状装着壁部３６には、天面板２５ａを装着開口２９の下方に近接配置した状態で、押出し蓋部２５が着脱可能に取り付けられる。
【００２７】
押出し蓋部２５は、本実施形態では、図５に示すように、環状装着壁部３６の内径と略同様の外径を有する扁平な有天円筒形状を備えると共に、下端開口の開口縁部から全周に亘って外側に突出して設けられた、環状ストッパーリブ２５ｂを有する形状に形成されている。押出し蓋部２５は、その有天円筒形状部分を、環状装着壁部３６の下方からこれの内側に、環状ストッパーリブ２５ｂが環状装着壁部３６の下端部に当接するまで無理押しながら嵌め込むことで、環状装着壁部３６に装着される。これによって押出し蓋部２５を、天面板２５ａを装着開口２９の下方に近接配置した状態で、装着開口２９を下方から覆って、栓本体部２４に一体として容易に接合固定することができる。押出し蓋部２５を栓本体部２４に一体として接合固定して得られた詰替え容器用栓部材１０を、詰替え容器１１の口首部１２に嵌合装着することで、液体洗剤が充填された詰替え容器１１を容易に且つ強固に封止することができる。なお、押出し蓋部２５は、環状装着壁部３６の下方からこれの内側に、打ち込み方式で装着固定することもできる。
【００２８】
また、詰替え容器１１から被詰替え容器１６に内容物である液体洗剤を詰め替える際には、詰替え容器用栓部材１０に対して、被詰替え容器１６に取り付けられた注出キャップ１９の注出スパウト１８を所定の方向にセットした後に、装着開口２９を閉塞する押出し蓋部２５に向けてに注出スパウト１８を押し込む。これによって、当該押出し蓋部２５が栓本体部２４から詰替え容器１１の内側に容易に押し出されて、装着開口２９を連通開口としてスムーズに開封させることができる。
【００２９】
押出し蓋部２５が押し出された後に、さらに注出スパウト１８を押し込むことで、注出スパウト１８は、その立設方向中間部分において、外周面が栓本体部２４に形成された装着開口２９の開口縁部２８の略Ｕ字形状部分２８ａに略密着することになる。これによって注出スパウト１８は、装着開口２９に位置決めされた状態で装着されることになるので、当該装着開口２９を連通開口とすると共に、注出スパウト１８の内側を注出路として、詰替え容器１１から被詰替え容器１６に、液漏れを生じさせることなく、液体洗剤を安定した状態でスムーズに詰め替えてゆくことが可能になる。
【００３０】
そして、上述の構成を備える本実施形態の詰替え容器用栓部材１０によれば、注出スパウト１８の押し込みによって開封する際の押込み力を軽減すると共に、注出スパウト１８の押し込みによって開封させる直前のセット段階において、注出スパウト１８を所定の方向に容易に且つスムーズに位置決めさせて、開封時の操作性を効果的に向上させることが可能になる。
【００３１】
すなわち、本実施形態によれば、詰替え容器用栓部材１０は、栓本体部２４と押出し蓋部２５とからなり、注出スパウト１８の押し込みによって、着脱可能に取り付けられた押出し蓋部２５を容器１１の内側に押し出すことで、装着開口２９による連通開口を開口させるようになっている。したがって、例えばシール板に形成された開封用スコアを破断させることで開口させる栓部材に対する押込み力と比較して、押出し蓋部２５を押し出すための押込み力を相当程度小さくすることが可能になり、これによって、注出スパウト１８の押し込みによって開封する際の押込み力を、効果的に軽減するとが可能になる。
【００３２】
また、本実施形態によれば、詰替え容器用栓部材１０は、円形又は略円形の中空断面形状の環状導入壁２７を備えているので、使用者は、環状導入壁２７の向きに特に配慮することなく、当該環状導入壁２７に被詰替え容器１６の注出スパウト１８の先端部分を導入することが可能になる。また装着開口２９の開口縁部２８の略Ｕ字形状部分２８ａの開放側と対向する位置における環状導入壁２７の内側面から内側に突出して、位置合せバー３０が設けられている。これによって、環状導入壁２７に導入された注出スパウト１８の先端部分は、図８（ａ）〜（ｃ）に示すように、当該先端部分１８ａの傾斜辺部１８ｂを位置合せバー３０に当接させることで、傾斜辺部１８ｂを位置合せバー３０に沿わせるようにしながら注出スパウト１８を回転させて、当該先端部分１８ａを、外周面が開口縁部２８の略Ｕ字形状部分２８ａに沿う向きに誘導することが可能になる。またこれによって、注出スパウト１８の先端部分１８ａを、押出し蓋部２５の押し出しによって装着開口２９を開口させる直前のセット段階において、装着開口２９の向きにスムーズに沿わせることが可能になる（図８（ｃ）参照）。
【００３３】
これらによって、図８（ｄ）に示すような、押出し蓋部２５の押し出しによって装着開口２９による連通開口を開口させる開封時の操作性を、効果的に向上させることが可能になる。
【００３４】
さらに、本実施形態によれば、環状導入壁２７の内側面には、当該内側面から装着開口２９に向けて下方に傾斜する傾斜誘導壁面部３４が形成されている。これによって、位置合せバー３０による、注出スパウト１８の先端部分１８ａを外周面が開口縁部２８の略Ｕ字形状部分２８ａに沿う向きに誘導する機能を補完して、開封時の操作性をさらに効果的に向上させることが可能になる。
【００３５】
なお、本発明は上記実施形態に限定されることなく種々の変更が可能である。例えば、位置合せバーは、中央部を稜線として両側に傾斜する傾斜面を備えている必要は必ずしもなく、環状導入壁の内側面に、装着開口に向けて下方に傾斜する傾斜誘導壁面部が形成されている必要は必ずしもない。
【００３６】
また、詰替え容器用栓部材が取り付けられる詰替え容器は、薄肉のボトル形状の容器である必要は必ずしもなく、その他の種々の詰替え容器に、本発明の詰替え容器用栓部材を取り付けて用いることができる。例えば、図９に示すように、スタンディングパウチ５０の詰替え流出口を覆って詰替え容器用栓部材１０’を取り付けて用いることもできる。
【００３７】
さらに、押出し蓋部を、栓本体部とは異なる色に着色しておくこともできる。
【符号の説明】
【００３８】
１０  詰替え容器用栓部材
１１  詰替え容器
１２  口首部
１３  詰替え流出口
１６  被詰替え容器
１７  被詰替え容器の容器本体
１８  注出スパウト
１８ａ  先端部分
１８ｂ  傾斜辺部
１９  注出キャップ
２３  注出スパウトの開放部
２４  栓本体部
２５  押出し蓋部
２５ａ  天面板
２５ｂ  環状ストッパーリブ
２６  基盤部
２７  環状導入壁
２８  開口縁部
２８ａ  略Ｕ字形状部分
２８ｂ  短径部分
２９  装着開口
３０  位置合せバー
３０ａ  稜線
３０ｂ  傾斜面
３２  環状スカート部
３４  傾斜誘導壁面部
３５  垂直壁面部
３６  環状装着壁部
【図１】
0005953041.tif 000002
【図２】
0005953041.tif 000003
【図３】
0005953041.tif 000004
【図４】
0005953041.tif 000005
【図５】
0005953041.tif 000006
【図６】
0005953041.tif 000007
【図７】
0005953041.tif 000008
【図８】
0005953041.tif 000009
【図９】
0005953041.tif 000010